(57)【要約】【課題】デジタルテレビジョン放送の受信状態が悪化して、デコードが出来ない状態になると、映像・音声ともに何も出なくなる。車載の場合、急に音声・映像が途切れるとユーザーが故障したのかと勘違いすることによる、脇見運転につながる恐れがある。【解決手段】デジタルテレビジョン放送を受信したときの電界強度を検出し、その検出結果に応じて従来のアナログテレビのような砂嵐の映像、ノイズ音を生成して映像・音声を出力する。【選択図】図１
2006080952.tif 000002
【特許請求の範囲】
【請求項１】
デジタルテレビジョン放送を受信して映像信号と音声信号を復号して出力するデコード手段と、デジタルテレビジョン放送の受信状態を検出する検出手段と、ホワイトノイズを発生して出力する音声ノイズ発生手段と、前記デコード手段が出力する音声信号または前記音声ノイズ発生手段が出力するホワイトノイズを切り換えて出力する音声切り換え手段と、前記検出手段の検出結果に応じて前記音声切り換え手段の切り換えを制御する制御手段とを備えることを特徴とするデジタル放送受信機。
【請求項２】
アナログテレビジョン受信機における弱電界状態時に表示される砂嵐のような映像ノイズを発生して出力する映像ノイズ発生手段と、前記デコード手段が出力する映像信号または前記映像ノイズ発生手段が出力する前記映像ノイズを切り換えて出力する映像切り換え手段とを備えることを特徴とする請求項１記載のデジタル放送受信機。
【請求項３】
ホワイトノイズのデータを格納する音声ノイズ格納手段と、前記映像ノイズのデータを格納する映像ノイズ格納手段とを備え、前記音声ノイズ発生手段は前記音声ノイズ格納手段に格納されているホワイトノイズのデータを用いて音声ノイズを発生させ、前記映像ノイズ発生手段は前記映像ノイズ格納手段に格納されている前記映像ノイズのデータを用いて映像ノイズを発生させることを特徴とする請求項２記載のデジタル放送受信機。
【請求項４】
デジタルテレビジョン放送の受信状態が所定のレベルより悪い場合に前記音声ノイズ発生手段が出力するホワイトノイズに切り換えるように制御する制御手段を備えることを特徴とする請求項１記載のデジタル放送受信機。
【請求項５】
前記検出手段は電界強度により受信状態を検出することを特徴とする請求項１記載のデジタル放送受信機。
【請求項６】
前記検出手段はビットエラーレートにより受信状態を検出することを特徴とする請求項１記載のデジタル放送受信機。
【請求項７】
前記検出手段は復調におけるロック状態により受信状態を検出することを特徴とする請求項１記載のデジタル放送受信機。
【発明の詳細な説明】
【技術分野】
【０００１】
本発明は、テレビジョン受信機、セットトップボックス、パーソナルコンピュータ、携帯電話機など、特に車載する場合のデジタルテレビジョン放送を受信する装置に関するものである。
【背景技術】
【０００２】
近年デジタル放送化が進んでいる。家庭内で視聴する固定型受信機のみならず、携帯型や移動型受信機の開発が進んでおり、今後商品化されるものと思われる。
【０００３】
デジタルテレビジョン放送においては、受信状態が一定のレベルを下回るとデコードできなくなり、音声・映像が出なくなってしまう。車載の場合、急に音声・映像が途切れるとユーザーが故障したのかと勘違いすることによる、脇見運転につながる可能性がある。
【０００４】
この問題を解決する手段として、特許文献１のような技術が開示されている。これは障害物等で放送電波が途切れてしまった場合に、途切れる前に表示されていた映像を静止画として出力させることにより、映像を途切れさせること無く表示し続けるものである。
【０００５】
このように受信状態により何も映らなくなる状況を回避することは既に行われている。
【特許文献１】特開平９−３７１６３号公報
【発明の開示】
【発明が解決しようとする課題】
【０００６】
しかしながら特許文献１のような従来例では以下の点について課題がある。
【０００７】
アナログテレビジョン放送では、映像が途切れた場合でも音声が出力する場合があるが、デジタルテレビジョン放送においては映像と共に音声も途切れてしまう。
【０００８】
従って映像に対しては静止画を表示することができるが、音声に対しては何も出力することができないといった課題がある。
【０００９】
次に、途切れる前に表示されていた映像を静止画として出力させることは、ユーザーが家庭で使っている従来のテレビと異なる動作であるために、故障したと誤解する課題がある。
【００１０】
本発明は上記従来の問題点を解決するデジタル放送受信機を提供することを目的とする。
【課題を解決するための手段】
【００１１】
本発明の第一の発明においては、デジタルテレビジョン放送を受信して映像信号と音声信号を復号して出力するデコード手段と、デジタルテレビジョン放送の受信状態を検出する検出手段と、ホワイトノイズを発生して出力する音声ノイズ発生手段と、前記デコード手段が出力する音声信号または前記音声ノイズ発生手段が出力するホワイトノイズを切り換えて出力する音声切り換え手段と、前記検出手段の検出結果に応じて前記音声切り換え手段の切り換えを制御する制御手段とを備えることを特徴とする。
【００１２】
本発明の第二の発明においては、第一の発明において、アナログテレビジョン受信機における弱電界状態時に表示される砂嵐のような映像ノイズを発生して出力する映像ノイズ発生手段と、前記デコード手段が出力する映像信号または前記映像ノイズ発生手段が出力する前記映像ノイズを切り換えて出力する映像切り換え手段とを備えることを特徴とする。
【００１３】
本発明の第三の発明においては、第二の発明において、ホワイトノイズのデータを格納する音声ノイズ格納手段と、前記映像ノイズのデータを格納する映像ノイズ格納手段とを備え、前記音声ノイズ発生手段は前記音声ノイズ格納手段に格納されているホワイトノイズのデータを用いて音声ノイズを発生させ、前記映像ノイズ発生手段は前記映像ノイズ格納手段に格納されている前記映像ノイズのデータを用いて映像ノイズを発生させることを特徴とする。
【００１４】
本発明の第四の発明においては、第一の発明において、デジタルテレビジョン放送の受信状態が所定のレベルより悪い場合に前記音声ノイズ発生手段が出力するホワイトノイズに切り換えるように制御する制御手段を備えることを特徴とする。
【００１５】
本発明の第五の発明においては、第一の発明において、前記検出手段は電界強度により受信状態を検出することを特徴とする。
【００１６】
本発明の第六の発明においては、第一の発明において、前記検出手段はビットエラーレートにより受信状態を検出することを特徴とする。
【００１７】
本発明の第七の発明においては、第一の発明において、前記検出手段は復調におけるロック状態により受信状態を検出することを特徴とする。
【発明の効果】
【００１８】
本発明のデジタル放送受信機は受信状態が悪化しても、従来のアナログテレビのような砂嵐のような映像やノイズ音を生成して映像・音声を出力することができる。砂嵐のような映像やノイズ音は、従来のアナログテレビにおいて受信状態が悪化したときの状態と同じであり、車載デジタルテレビ受信機においてドライバーが故障したと勘違いすることなく安全に運転することができる。
【発明を実施するための最良の形態】
【００１９】
以下では、当該発明にかかる実施するための最良の形態について、図面を参照しつつ説明を行う。
【実施例１】
【００２０】
以下本発明の第１の実施例を、図面を参照しながら説明する。図１は、本発明のデジタル放送受信機の構成を示したブロック図である。図１に示すデジタル放送受信機１では、アンテナ２、受信部３、復調部４、デコーダ５、電界強度検出部６、音声ノイズメモリ７、映像ノイズメモリ８、制御部９、入力部１０、音声ノイズ発生回路１１、映像ノイズ発生回路１２、音声切り換え部１３、映像切り換え部１４、音声出力部１５、映像出力部１６から構成される。
【００２１】
受信部３はアンテナ２から受信したデジタルテレビジョン放送を入力し、ユーザーが所望する伝送チャンネルの変調されているテレビジョン放送信号が後述する制御部９の制御により選択される。復調部４は受信部３が出力する変調されている信号を入力し、復調してＭＰＥＧ−２トランスポートストリームを出力する。デジタルテレビジョン放送においては、ＭＰＥＧ−２トランスポートストリームを変調して放送することは周知である。また、復調部４は所望された伝送チャンネルの受信する際の電界強度を検知して出力する。復調部を構成するＬＳＩの機能として電界強度を検知して出力する事は一般的である。
【００２２】
デコーダ５は復調部４の出力するＭＰＥＧ−２トランスポートストリームを入力し、ユーザーが所望する番組の映像・音声のストリームを抽出し、復号を行った後、アナログＹ／Ｐｂ／Ｐｒの映像信号とアナログＬ／Ｒの音声信号を出力する。
【００２３】
電界強度検出部６は復調部４が出力する電界強度のデータを入力し、所定の電界強度のレベルと比較する。そして、電界強度が所定のレベルよりも高いか低いかの結果を後述する制御部９に出力する。
【００２４】
音声ノイズメモリ７は音声ノイズのデータが格納されている。映像ノイズメモリ８は映像ノイズのデータが格納されている。この音声ノイズのデータとは、アナログ受信機の受信状態が悪くなったときに出力される“ザー”といったようなホワイトノイズのデータである。また映像ノイズのデータとは、アナログ受信機の受信状態が悪くなったときに出力される砂嵐のような映像のデータである。これらの音声ノイズと映像ノイズのデータは、アナログ受信機の受信状態が悪くなった状態を擬似的に表現するためのものである。
【００２５】
これらのデータはデジタル放送受信機の出荷時に書き込まれる。制御部９はデジタル放送受信機１の各構成要素を制御するマイクロコンピューターである。また制御部９は音声ノイズメモリ７と映像ノイズメモリ８に格納されているデータを読み出し可能に接続されている。入力部１０はユーザーからの操作を受け付けるためのインターフェースである。たとえば、リモコンやキーボードなどが考えられる。ユーザーの操作は入力部１０により電気信号化され、制御部９に入力される。
【００２６】
音声ノイズ発生回路１１は制御部９が読み出した音声ノイズメモリ７に格納されている音声ノイズのデータを入力し、アナログＬ／Ｒの音声ノイズの信号を発生し、出力する。たとえば、ＰＣＭデータで格納されている音声ノイズの信号を入力し、繰り返しデコードしてＤ／Ａ変換後出力する。映像ノイズ発生回路１２は制御部９が読み出した映像ノイズメモリ８に格納されている映像ノイズのデータを入力し、アナログＹ／Ｐｂ／Ｐｒの映像ノイズの信号を発生し、出力する。たとえば、ビットマップデータで格納されている映像ノイズの信号を入力し、繰り返しデコードしてＤ／Ａ変換後出力する。
【００２７】
音声切り換え部１３はデコーダ５からのアナログＬ／Ｒの音声信号と音声ノイズ発生回路１１からのアナログＬ／Ｒの音声ノイズの信号を入力し、制御部９の制御により切り換えて出力する。なお、切り換えるのではなく、所定の割合で合成することも考えられる。映像切り換え部１４はデコーダ５からのアナログＹ／Ｐｂ／Ｐｒの映像信号と映像ノイズ発生回路１２からのアナログＹ／Ｐｂ／Ｐｒの映像ノイズの信号を入力し、制御部９の制御により切り換えて出力する。なお、切り換えるのではなく、所定の割合で合成することも考えられる。
【００２８】
音声出力部１５は音声切り換え部１３からアナログＬ／Ｒの音声信号を入力し、それらの音声信号を増幅して図示しないスピーカーに出力する。映像出力部１６は映像切り換え部１４からアナログＹ／Ｐｂ／Ｐｒの映像信号を入力し、それらの映像信号を増幅する。また、アナログＹ信号に多重化されている同期信号を抜き出した後、その同期信号に同期させて増幅された映像信号を図示しないモニターに出力する。なお、電界強度検出部６は制御部９のソフトウェア制御で行っても良い。
【００２９】
また、本実施例では電界強度検出部６は電界強度のデータを入力し所定のレベルと比較するが、それ以外のデータを用いても良い。例えばビットエラーレートのデータや復調部のロック／アンロックを示すデータを復調部４から入力して、比較する場合も考えられる。
【００３０】
図２は、本発明のデジタル放送受信機の動作を示すフローチャートである。この図２を用いて動作の説明を行う。受信部３によってアンテナ２から放送を受信する。制御部９はユーザーが入力部１０を用いて選択した番組を選局するように受信部３を制御する（ステップＳ０）。
【００３１】
ステップＳ０でユーザーによって選択された番組の復調が復調部４で行われる。電界強度検出部６は復調部４で検出されたユーザーが所望する番組の電界強度を把握する（ステップＳ１）。
【００３２】
そして、所定のレベルとの比較を行う。比較した結果に応じ処理がステップＳ３とステップＳ５に分かれる（ステップＳ２）。
【００３３】
制御部９はステップＳ２において比較された結果を認識し、電界強度が所定のレベルよりも低かった場合、制御部９は音声ノイズメモリ７から音声ノイズのデータを読み込み、音声ノイズ発生回路１１によってアナログＬ／Ｒの音声ノイズの信号が発生するように制御する。また映像ノイズメモリ８から映像ノイズのデータを読み込み、映像ノイズ発生回路１２によってアナログＹ／Ｐｂ／Ｐｒの映像ノイズ信号が発生するように制御する（ステップＳ５）。
【００３４】
次に、制御部９は音声切り換え部１３において、音声ノイズ発生回路１１から発生させたアナログＬ／Ｒの音声ノイズを出力するように制御する。また映像切り換え部１４において、映像ノイズ発生回路１２から発生させたアナログＹ／Ｐｂ／Ｐｒの映像ノイズを出力するように制御する（ステップＳ６）。
【００３５】
一方、電界強度が所定のレベルよりも高かった場合、制御部９はユーザーが入力部１０を用いて選択した番組のＭＰＥＧ−２トランスポートストリームを抽出し、復号するように制御する（ステップＳ３）。
【００３６】
次に、制御部９は音声切り換え部１３において、デコーダ５から出力されたアナログＬ／Ｒの音声を出力するように制御する。また映像切り換え部１４において、デコーダ５から出力されたアナログＹ／Ｐｂ／Ｐｒの映像を出力するように制御する（ステップＳ４）。
【００３７】
なお、本実施例ではステップＳ３とステップＳ５は、ステップＳ２の比較結果によって動作させるようにしたが、あらかじめ動作させておいて、制御部９は音声切り換え部１３と映像切り換え部１４を切り換えるのみでも良い。
【００３８】
以上に説明したように、本発明における実施例１のデジタル放送受信機は、デジタルテレビジョン放送を受信したときの電界強度を検出して、デコードできない状態を認識し、認識結果に応じて、従来のアナログテレビのような砂嵐・ノイズ音を生成して映像・音声を出力することができる。
【産業上の利用可能性】
【００３９】
本発明にかかるデジタル放送受信機は、従来のアナログテレビのような砂嵐のような映像やノイズ音を生成して映像・音声を出力することにより、車載デジタルテレビ受信機においてドライバーが故障したと勘違いすることなく安全に運転できる効果を有し、テレビジョン受信機、セットトップボックス、パーソナルコンピュータ、携帯電話機などとして有用である。
【図面の簡単な説明】
【００４０】
【図１】本発明のデジタル放送受信機の構成を示したブロック図
【図２】本発明のデジタル放送受信機の動作を示すフローチャート
【符号の説明】
【００４１】
１    デジタル放送受信機
２    アンテナ
３    受信部
４    復調部
５    デコーダ
６    電界強度検出部
７    音声ノイズメモリ
８    映像ノイズメモリ
９    制御部
１０    入力部
１１    音声ノイズ発生回路
１２    映像ノイズ発生回路
１３    音声切り換え部
１４    映像切り換え部
１５    音声出力部
１６    映像出力部
【図１】
2006080952.tif 000003
【図２】
2006080952.tif 000004